(57)【特許請求の範囲】
【請求項１】
ダイオード接点保護複合スイッチであって、メインリレー接点保護回路、メインリレー接点及びリレー制御回路を含み、前記メインリレー接点保護回路は、サブリレー接点Ｋ１とダイオードＤとの直列接続で構成されかつその両端が前記メインリレー接点Ｋと並列接続され、前記サブリレー接点Ｋ１の電流容量は前記メインリレー接点Ｋの電流容量の１／１０〜１／１０００であり、前記メインリレーがオン／オフされる際に、前記メインリレー接点のストローク時間内、リレーコイルに流れる電流が大きい電流値から小さい電流値に低下し、ゼロになることを特徴とするダイオード接点保護複合スイッチ。
【請求項２】
前記リレー制御回路は、コンデンサで整流降圧された電源により給電されることを特徴とする請求項１に記載のダイオード接点保護複合スイッチ。
【請求項３】
前記サブリレー接点が複数のリレー接点と直列接続可能であり、前記メインリレー接点が複数のリレー接点と並列接続可能であることを特徴とする請求項２に記載のダイオード接点保護複合スイッチ。
【請求項４】
前記リレー制御回路は、シングルチップコンピュータ、サブリレー駆動回路及びメインリレー駆動回路から構成され、メインリレー駆動コイルＬの両端はコンデンサＣと並列接続され、駆動コイルＬは、四つのトランジスタＴ３、Ｔ４、Ｔ５、Ｔ６からなるＨブリッジの出力端１と出力端２の間に接続され、シングルチップコンピュータの二つの出力端３と４は、トランジスタＴ１とＴ２からなるインバータによって、Ｈブリッジの出力電圧のパルス幅とパルス極性を制御し、メインリレー接点が動作するときに、前記リレー制御回路からリレー駆動コイルＬに供給された電圧がＰＷＭパルスであり、駆動コイルＬを流れる電流は変化することを特徴とする請求項３に記載のダイオード接点保護複合スイッチ。
【請求項５】
前記サブリレー駆動コイルＬ１はトランジスタＴ１１を介してコンデンサＣ６と接続され、サブリレー接点が動作すると、シングルチップコンピュータはトランジスタＴ１１をオンに制御し、コンデンサＣ６はトランジスタＴ１１を介して駆動コイルに対して放電し、駆動コイルＬ１を流れる電流は対数的な変化方式で低減し、リレー接点の動作が停止した後、シングルチップコンピュータはトランジスタＴ１１をオフにしながら、トランジスタＴ１０をオンにして、コンデンサＣ６に対する充電を開始させることを特徴とする請求項４に記載のダイオード接点保護複合スイッチ。
【請求項６】
前記リレー制御回路は電流測定回路と電圧測定回路を含むことを特徴とする請求項１〜５のいずれか一項に記載のダイオード接点保護複合スイッチ。
【請求項７】
前記サブリレー及び前記メインリレーが磁気保持リレーを使用していることを特徴とする請求項５に記載のダイオード接点保護複合スイッチ。
【請求項８】
請求項１〜７のいずれかに記載のダイオード接点保護複合スイッチを備える継電器のコントロール方法であって、リレーがオンにあると、前記リレー制御回路からリレー駆動コイルに供給されたた電流は、初期値が定格動作電流の２−２０倍である動的電流であり、前記リレーの動的接点は迅速的に固定接点に移動した後、前記リレーコイルを流れる電流は低減しつつ、ゼロまでになり、動的接点と固定接点が接触した後に、コイル駆動電流はリレーの接続保持電流に戻るステップ１と、
リレーがオフにあると、前記リレー制御回路からリレー駆動コイルに供給された電流は、初期値が定格動作電流の２−２０倍である動的電流であり、前記リレーの動的接点は迅速的に固定接点から離れる方向に移動した後、前記リレーコイルを流れる電流は低減しつつ、動的接点は接点の常開位置に到達すると、駆動電流はゼロになるステップ２と、を含むことを特徴とするリレーの制御方法。
【請求項９】
前記リレー接点が動作すると、前記リレー駆動コイルを流れる電流は対数的な変化曲線で低減することを特徴とする請求項８に記載のリレーの制御方法。
【発明の詳細な説明】
【技術分野】
【０００１】
本発明は交流電流リレースイッチに関する。特に、ダイオードと機械接点スイッチの直列接続を利用して、交流スイッチ接点のオンまたはオフ時にアークを発生させないリレースイッチ及びリレー駆動回路、制御方法に関する。国際分類号はＨ０１Ｈ９／５４、Ｈ０１Ｈ９／５６である。
【背景技術】
【０００２】
理想の交流電流リレースイッチは電流がゼロを超える瞬間に接点のオンとオフを完成する。しかしながら機械接点の動作過程は時間をかかるので、機械接点スイッチは原理的に電流がゼロを超える瞬間に接点のオンとオフは実現できない。高電圧及び大電流の場合に、特に、インダクタンスを切り換えるとき及びコンデンサ負荷のときに、スパークとアーク放電が多い。それはスイッチ接点の寿命を減少するだけではなく、電力ネットワークに対して有害なサージ電流とサージ電圧を生じさせる可能性がある。交流リレースイッチは電流がゼロを超える瞬間に接点のオンとオフは実現できないため、交流スイッチが運用されてから、エンジニアたちはずっとスイッチ接点でのアークをなくす方法を探してきている。サイリスタの誕生に伴って、電流がゼロを超える瞬間にオンまたはオフを実現できる交流電子スイッチは誕生した。しかし、サイリスタの電力消費及びコストの問題で、サイリスタ交流スイッチは実用、信頼できるスイッチになっていない。同時に、多くの人は低電力消費且つ低コストのサイリスタをリレー接点と並列した複合スイッチを研究しているが、サイリスタがｄｖ／ｄｔが非常に高いときに誤導通しやすい。またｄｉ／ｄｔが非常に高いときに、切断しにくいという欠点があるので、サイリスタ複合スイッチはなかなか実際的に運用できていない。
【０００３】
アメリカ特許ＵＳ３２２３８８８、ＵＳ３２８４６８４と中国特許申請０１１１１０５０．３はダイオードを利用してリレーメイン接点を保護する方法を公開した。それはスイッチが切断してから、機械切断点があるスイッチである。ダイオードはメインスイッチ接点がオンまたはオフする瞬間に主スイッチ接点がダイオードの順方向電圧だけを耐えることを確保する。しかし、こういう特許が公開した回路はサブリレー及びメインリレー接点のストローク時間（接点の動作開始から動作完了までの時間）に対して厳しい要求がある。抵抗及びインダクタンス負荷に対して、スイッチ接点は必ず交流電流周期の二分の一内にオンまたはオフの動作を完了する。コンデンサ負荷に対して、リレーの接点のストローク時間は交流電流周期の四分の一より短いことが要求されている。つまり、５０Ｈｚ交流電流の場合、抵抗、インダクタンス負荷に対する接点のストローク時間は１０ｍＳより短いことが要求されている。コンデンサ負荷に対して、接点ストローク時間は５ｍＳより短いことが要求されている。６０Ｈｚの交流電流の場合、接点動作の時間をさらに短くすることが要求されている。一般のオン・オフリレーの接点のストローク時間はこのレベルに達していない。そして、リレー使用時間の増加につれて、接点のストローク時間は変化して長くなる。現在のリレーは上記特許文献にて取り上げられたダイオードとサブリレー接点との直列を利用したスイッチ接点保護を実現する要求に満足できない。そのため、上記特許文献の中では、どのようなリレーを利用して接点保護の機能を実現するかは取り上げていない。このこともこういうダイオード接点保護スイッチ回路が半世紀前に世に出されたが、なかなか実用されていない原因である。
【０００４】
交流スイッチリレーの接点がオンするときにジッタ及びスパークする場合がある。接点がオフするときに、アークを起こす場合もある。交流電流がゼロを超えたら、アークは消える。接点の動作速度は必ずアークが消えてその後再度燃焼しないことを確保しなければならない。そのため、交流スイッチリレーの接点のストローク時間は十分に短くなくてはならない。リレーがオンするときに、ジッタが発生するので、接点でのジッタ回数を減少するために、通常リレーの機械システムにおいて減衰が増加する。リレー接点のストローク時間を短縮するためには、リレーコイルの駆動電流を向上させる、減衰を減少させるしかない。しかし、コイルの駆動電流を増加して、減衰を減少させると、接点がオンするときのジッタが増加して、接点がオンする時の性能に影響して、リレーの機械寿命が減じられる。そのため、交流スイッチリレーの機械寿命を確保する前提のもとで、接点での動作速度を向上させることは難しい。
【発明の概要】
【発明が解決しようとする課題】
【０００５】
本発明の目的は、ダイオード接点での複合スイッチを保護する方法を提供することである。主に、リレー接点での動作速度を向上させて、ストローク時間を短縮する回路制御及びその制御方法であり、リレーの接点でのストローク時間を２倍以上に短縮できる回路制御及びその制御方法である。特に、ある磁気保持リレーの回路制御及びその制御方法を提出する。
【課題を解決するための手段】
【０００６】
本発明の目的は下記の技術方案で実現する。
【０００７】
ダイオード接点保護複合スイッチはメインリレー接点保護回路、メインリレー接点及びリレー制御回路から構成され、前記メインリレー接点保護回路がサブリレー接点Ｋ１とダイオードＤとを直列接続することで構成され、その両端は前記メインリレー接点Ｋと並列接続し、前記サブリレー接点Ｋ１の電流容量が前記メインリレー接点Ｋの電流容量の１／１０〜１／１０００であり、前記メインリレーがオン／オフするときに、リレーコイルを流れる電流は一定の規律で変化することで接点のストローク時間を短縮する。
【０００８】
さらに、そのダイオード接点保護複合スイッチのリレー制御回路は、コンデンサで整流降圧された電源により給電される。
【０００９】
さらに、そのダイオード接点保護複合スイッチは複数のサブリレー接点を直列接続して、一つだけのリレー接点が十分に電圧に耐えない問題を解決できる。複数のメインリレー接点を並列接続する方法で、一つだけのリレーの電流容量が足りない問題を解決する。
【００１０】
さらに、上記リレー駆動回路はシングルチップコンピュータ、サブリレー駆動回路、メインリレー駆動回路から構成され、メインリレー駆動コイルＬの両端にコンデンサＣを並列接続し、駆動コイルＬは四つのトランジスタＴ３、Ｔ４、Ｔ５、Ｔ６が構成されたＨブリッジの出力端１と出力端２の間に接続し、シングルチップコンピュータの二つの出力端３と４はトランジスタＴ１とＴ２が構成されたインバータによって、Ｈブリッジの出力電圧パルス幅とパルス極性を制御し、メインリレー接点が動作するときに、前記リレー制御回路はリレー駆動コイルＬへ供給する電圧はＰＷＭパルスであり、駆動コイルＬを流れる電流は変化している。
【００１１】
好ましくは、ダイオード接点保護複合スイッチのサブリレー駆動コイルＬ１はトランジスタＴ１１を介してコンデンサＣ６と接続し、サブリレー接点が動作するときに、シングルチップコンピュータはトランジスタＴ１１をオンに制御し、コンデンサＣ６はトランジスタＴ１１を介して駆動コイルに対して放電し、駆動コイルＬ１を流れる電流は対数的な変化方式で低減し、リレー接点の動作が停止した直後、シングルチップコンピュータはトランジスタＴ１１をオフにしながら、トランジスタＴ１０をオンにして、コンデンサＣ６に充電する。
【００１２】
好ましくは、ダイオード接点保護複合スイッチのサブリレー及びメインリレーが磁気保持リレーを使用する。
【００１３】
好ましくは、ダイオード接点保護複合スイッチのリレー制御回路は電流測定回路及び電圧測定回路を含んでいる。
【００１４】
リレーの制御方法は下記のステップがある。
【００１５】
ステップ１）、リレーがオンであるときに、前記リレー制御回路がリレー駆動コイルに供給した電流が初期値は定格動作電流の２−２０倍である動的電流であり、リレーの動的接点は迅速に固定接点へ移動して、その後、リレーコイルを流れる電流は減少しつつ、最後にゼロになり、動的接点と固定接点が接触した後、コイル駆動電流はリレーの接続保持電流に戻る。
【００１６】
ステップ２）、リレーがオフであるときに、前記リレー制御回路がリレー駆動コイルに供給した電流は、定格動作電流の２−２０倍の動的電流であり、検電器の動的接点は迅速に固定接点に離れる方向に移動した後、前記リレーコイルを流れる電流は減少しつつ、動接点が固定接点の常開位置に達するとき、駆動電流はゼロになる。
【発明の効果】
【００１７】
本発明の有益の効果は下記の通りである。リレー接点の動作速度を向上させて、スイッチ接点が動作完了するときに受けた応力を小さくする。接点のジッタを減少するだけでなく、リレー接点の動作時間を短縮し、リレーの機械寿命をも延長させることができる。そのほか、本発明が提供するリレー制御回路及び制御方法を利用すると、サブリレーとメインリレーの接点はダイオード接点保護回路が要求する交流電流周期の１／４内にオンすることが保証できる。
【００１８】
これらにより、スイッチは電流がゼロを超えたら、すぐオンまたはオフすることを実現した。着実に交流スイッチの電子アーク消滅を実現できる。スイッチの電気寿命を十分に延長することができる。
【図面の簡単な説明】
【００１９】
【図１】図１は本発明の実施例に係るダイオード接点保護スイッチの原理図である。
【図２】図２は本発明の実施例に係るリレー制御回路の原理図１である。
【図３−１】図３−１は本発明の実施例に係るリレー制御回路の原理図１でリレー動作ストロークを制御することと直流リレーで動作ストロークを制御する対比図である。
【図３−２】図３−２は本発明の実施例に係るリレー制御回路の原理図１でリレー動作ストロークを制御することと直流リレーで動作ストロークを制御する対比図である。
【図４】図４は本発明の実施例に係るリレー制御回路の原理図２である。
【図５−１】図５−１は本発明の実施例に係るリレー制御回路の原理図２でリレーの動作ストロークを制御することと直流でリレーの動作ストロークを制御する対比図である。
【図５−２】図５−２は本発明の実施例に係るリレー制御回路の原理図２でリレーの動作ストロークを制御することと直流でリレーの動作ストロークを制御する対比図である。
【図６】図６は本発明の実施例に係るダイオード接点保護の複合スイッチの回路原理図である。
【発明を実施するための形態】
【００２０】
下記は添付した図に基づいて、この発明について詳しく説明する。
【００２１】
図１のように、本発明の実施例に係るダイオード接点保護の複合スイッチの原理図に、メインリレー接点Ｋ、接点保護ダイオードＤ、サブリレー接点Ｋ１とリレー制御回路がある。前記メインリレー接点保護回路はサブリレー接点Ｋ１とダイオードＤが直列して、両端はメインリレー接点Ｋと並列する。メインスイッチ接点Ｋがオンまたはオフしたら、サブリレー接点Ｋ１はメイン接点のすべての電流を受ける。普通にサブリレーの電流容量を考慮するときに、メインリレーと同じ電流容量を選択する。リレー接点の電流容量は大きければ、ストローク時間は長くなる。実際に２０Ａ以上の交流スイッチリレーのストローク時間は１０ｍＳ以内に抑えることは難しい。しかし、サブリレーの電流を流れる時間は短く、普通に交流電流周期の１／４をオーバーしない。メインリレーのストローク時間は誤差を考慮しなければならない。メインリレー接点のストローク時間は３ｍＳを越えるといけない。一次接点のオン／オフの過程について、サブリレー接点Ｋの電流時間は通常３ｍＳをオーバーしない。そのため、サブリレーの動作速度を向上させるために、サブリレーは接点電流容量が小さいリレーを選んでよい。サブリレー接点の電流容量はメインリレー接点の電流容量の１／１０から１／１０００までの範囲であればよい。サブリレー接点ストローク時間は交流電流周期の１／２より少なければよい。一般の５Ａより小さい接点容量のリレーにおいては、この要求を満足しやすい。つまり、メインスイッチの電流は１００Ａ、サブリレーの電流容量は１−２Ａであれば余裕がある。普通に電流容量が小さいスイッチリレーの場合、接点ストロークが短く、耐電圧も低い。一つのサブリレー接点の耐電圧はスイッチオフ時の耐電圧要求を満たすことができない場合に、複数のサブリレーを直列して、サブリレーの回路接点の耐電圧を向上させる。小電流リレーをサブリレーとして利用する場合、サブリレーのストローク時間の問題を解決できる。そして、スイッチのコストを低減できる。大量の実験データにより、小電流リレーは１０ｍＳ内に百倍以上の定格電流を通すと、リレーの寿命はあまり影響を受けない。同様に、通断電流が非常に大きいスイッチ（数百Ａから１０００Ａまでのスイッチ）に対して、複数のサブリレーを並列して電流容量の問題を解決できる。ダイオード接点保護複合スイッチのメインリレーがオンときに、メイン接点は電圧を受けない。そのため、同様に、数本の小電流リレーを並列して、リレーのストローク時間と接点電流容量との矛盾を解決できる。ダイオード接点保護複合スイッチがオンときに、ダイオード保護サブリレーの接点は閉まって、スパークしない。サブリレー接点はメイン接点がオンときにスパークしないことを保護する。そして、オフのときに、サブリレー接点はメイン接点がアークしないと保護する。ダイオードはサブ接点がオフのときに、アークをしないことと保護する。そのため、サブ接点とメイン接点との直並列を実現できて、高圧大電流スイッチの設計に新しい考え方を提供した。
【００２２】
しかし、スイッチ電流が数百Ａのときに、数百の小電流リレーを並列することは不可能である。大電流リレーのストローク時間を短縮できない問題を解決するために、本発明はリレーの接点のストローク時間を減らす方法を提出する。リレーは一つの動的接点と一つの静（止）接点（ＳＰＳＴに対して）がある。オンのときは動的接点はスプリングの力を克服して、静接点に運動する。オフのときに、動的接点はスプリングの力を受けて、静接点との逆方向に向かって運動する。リレーコイルの駆動電流を増加すれば、動的接点の受ける力が増加して、接点がオンときの速度が加速する。しかし、駆動電流は大き過ぎると、接点の動作完了時に、非常に大きい衝撃力を受け、リレーの使用寿命が短縮する。本発明が提出する解決の考え方として、リレー接点がオンする最初の段階にリレーの動的接点に大きい力を与えて、動的接点をより高い加速度で移動させる。加速度運動のしばらくした後、動的接点の力を減少させて、動的接点を減速度で移動させる。静接点に到着する際に、運動速度はゼロになる。動的接点と静接点が接触したら、動的接点への力を大きくして、その受けたスプリングの回復力より大きくする。それを通じて、接点の接触抵抗が減少する。リレー接点がオフのときに、駆動コイルに電流を通して、動的接点がスプリングの回復力を受けるだけではなく、駆動コイルの電磁力を受ける。それで、動的接点はもっと早いスピードで静接点と離れる。動的接点が常時開の位置に近づいたときに、駆動コイルに反対方向の電流が入り、動的接点を減速度移動させて、最後に、接点が常時開の位置に到着したら、速度はゼロとなることを確保する。リレー接点が移動過程で受けた力を変更することにより、リレー接点のストローク時間を短縮して、それに、リレーの寿命に影響をしないという目的を実現する。
【００２３】
図２はリレー接点のストローク時間を短縮するためのリレー制御回路の原理図１である。メインリレー駆動コイルＬの両端はコンデンサＣと並列する。四つのトランジスタＴ３、Ｔ４、Ｔ５、Ｔ６は極性の変化可能なＨブリッジと構成する。駆動コイルＬはＨブリッジの出力端１と出力端２の間で連結する。シングルチップコンピュータの二つの出力端３と４はトランジスタＴ１とＴ２が構成したインバータを流れる。Ｈブリッジの出力電圧パルス幅とパルス極性を制御する。一般の５１シングルチップコンピュータを利用すれば実現できる。リレー接点が動作するときに、リレー制御回路はＨブリッジを通じてリレー駆動コイルへ電圧を提供する。その電圧はＰＷＭパルスである。コンデンサＣのウェーブフィルターを通過して、駆動コイルで発生するのは連続的に変化する電圧である。駆動コイルで流れるのは連続的に変化する電流である。
【００２４】
図３−１は、動作電圧１２Ｖのリレー駆動コイルの両端に１２Ｖの直流電圧を入れ、対応するリレーがオン及びオフするときに、動的接点のストロークと時間の関係（図の中で、ＵＬはリレー駆動コイル両端の電圧で、ｄはリレー接点間ストロークの距離である）を表している。図３−２は同様の１２Ｖのリレーであり、リレー制御回路がリレー変化駆動電圧を提供し、対応するリレーがオン及びオフするときの接点ストロークと時間の関係を表している。シングルチップコンピュータ出力端３、４の出力は高電レベルのときに、Ｈブリッジの四つのトランジスタＴ３−Ｔ６は全部遮断される。Ｈブリッジは出力しない。シングルチップコンピュータの出力端３は低電レベル、出力端４は高電レベルの場合に、ＨブリッジのトランジスタＴ３とＴ４は導通している。電流はＨブリッジの出力端１から出力端２まで流れ、リレー接点はオンする。リレーがオンしている過程で、最初に、Ｈブリッジの出力したパルスデューティは大きい。リレー駆動コイルＬ両端を流れる電流は大きく、その後、出力したパルスデューティは小さくなる。コンデンサＣのウェーブフィルターを通過した後、出力電圧は平滑になって、リレー駆動コイルＬの両端に印加される。リレー駆動コイルを流れる電流はだんだん小さくなって、出力電圧の波形はシングルチップコンピュータの出力端３の出力パルスデューティ次第である。リレーがオフしたときに、Ｈブリッジが逆方向の電圧パルスを出力して、コンデンサＣのウェーブフィルターを通して、駆動コイルの両端に印加する。そうすると、リレー接点のオフストローク時間を加速できる。図３−１の直流電圧と比べて、図３−２のリレー駆動電圧を利用すると、リレー接点はより早くオン及びオフのストロークを完了できる。それに、オンするときにジッタ回数は少なくなる。一般的に、駆動電圧の初期値を向上させる方法は接点運動を加速することが有効手段であるが、電力コストが増える。そして、初期電圧が一定な高度に増加すると、リレー接点の運動速度変化への作用は小さくなる。本発明が提供する実験に対する考えに基づき、一般の技術人員は実験を通じて、異なるリレーに対して、駆動電圧の変化、シングルチップコンピュータのＰＷＭ出力のプログラムを通じて、リレー接点がオンまたはオフするときの最短動作時間と最小ジッタを得られる。そのため、駆動コイル両端にかかるＰＷＭ波形と接点運動速度の関係について、ここで詳述しない。
【００２５】
さらに、ダイオード接点保護複合スイッチのメインリレーは磁気保持リレーを利用できる。磁気保持リレーはリレーの動作が完了後、駆動コイルは再度通電しなくてもいい。省エネだけでなく、駆動電力のコストも低減できる。磁気保持リレーは単線コイル駆動と二重コイル駆動という二つの種類がある。単線コイルに対しては図２の回路を利用できる。どのＰＷＭ出力を利用するかについて、一般の技術人員は実験で決められ、ここでは詳述しない。図４は二重コイル磁気保持リレーのＰＷＭ駆動回路である。図５では図４の回路は二重コイル磁気保持リレーがオンまたはオフするときに、リレー駆動コイルの両端に、直流パルス電圧をかけたときとＰＷＭ駆動電圧をかけたときと比べて、その対応する接点ストローク時間との関係を表している。図５−１は、動作電圧が１２Ｖの磁気保持リレーの駆動コイルの両端に１２Ｖの直流電圧をかけたときの、対応する接点がオン及びオフするときの動的接点ストロークとの関係を表している。図５−２は、同様の１２Ｖの磁気保持リレーの駆動コイルの両端に初期４８Ｖのクラデーション電圧（ＵＬ１はオンコイルの電圧、ＵＬ２は釈放コイルの電圧）をかけたときの、対応する接点がオン及びオフするときの接点肯定の関係を表している。磁気保持リレーがオンの過程で、トランジスタＴ７はＰＷＭ電圧をオンコイルＬ１に出力して、コンデンサＣ１のウェーブフィルターを通して、最初に４８Ｖで、徐々に低下する電圧を生じる。リレーコイルＬ１に出力した波形はシングルチップコンピュータの出力端３が出力したＰＷＭによって決まる。磁気保持リレーがオフまたはオンのときの状況は基本的に同様である。図５−１の直流電圧と比べて、図５−２の駆動電圧波形を利用すると、リレーの接点はより早くオン又はオフの動作を完了できて、そして、オンするときにジッタ回数も減少できる。
【００２６】
さらに、前記ダイオード接点保護複合スイッチのリレー制御回路は、電流測定回路と電圧測定回路を含む。図６は本発明の実施例に係るダイオード接点保護複合スイッチの回路原理図である。降圧コンデンサＣ３、ダイオードＤ４、Ｄ５、低電圧放電管Ｄ７とウェーブフィルターコンデンサＣ４が４８Ｖコンデンサ降圧電源を構成する。４８Ｖ電源はリレー駆動回路と５Ｖ安定化電源に給電する。三端子安定化電源５ＶとコンデンサＣ５はシングルチップコンピュータの給電電源を構成する。コンデンサ降圧の電源消耗は低くて、体積は小さいので、本発明の交流スイッチ回路に給電するのに適している。Ｄ２とＣ６はサブリレーＬ１の給電電源を構成する。Ｄ３とＣ７はメインリレーＬの給電電源を構成する。Ｃ６とＣ７の充電はＴ９とＴ１０が制御する。シングルチップコンピュータの出力端５は低電レベルのときに、Ｔ１０は導通し、４８Ｖコンデンサ降圧電源はＣ６とＣ７に充電する。サブリレー駆動コイルＬ１はトランジスタＴ１１を通じてコンデンサＣ６と連結して回路を構成する。サブリレーが動作するときに、リレー制御回路はトランジスタＴ１１の導通を制御する。コンデンサＣ６はトランジスタＴ１１を通じて、サブリレー駆動コイルＬ１に放電する。駆動コイルを流れる電流は対数的な変化方式で低下する。こういうコンデンサ放電の方式もリレーのストローク時間を短縮できる。リレー接点の動作が停止したら、シングルチップコンピュータはトランジスタＴ１１をオフにして、Ｔ１０をオンにして、コンデンサＣ６に充電する。サブリレーの次の動作のために準備をする。メインリレーは単線コイル磁気保持リレーである。コンデンサＣ７がメインリレーを駆動する原理はサブリレーとほぼ同じである。変流器ＴＡ、抵抗Ｒ４、Ｒ５と低電圧放電管Ｄ８は電流検査回路を構成する。スイッチを流れる電流は予定値をオーバーするときに、シングルチップコンピュータはリレーのオフを制御し、スイッチと負荷を保護する。抵抗Ｒ１、Ｒ２と低電圧放電管は電力ネットワーク電圧の検査回路を構成する。電圧の位相を検査して、リレーのオンとオフの時間を選択するだけでなく、検査時に電圧が高すぎまたは低すぎる場合は、スイッチをオフにして、負荷を保護する。このような機能は従来のリレースイッチには備わっておらず、また、本発明のスイッチはほかのセンサー（温度センサー）と接続してもよく、より多く保護できる。また、赤外線センサーまたはブルートゥースを加えて、遠隔操作の機能なども実現できる。
【００２７】
本リレーの制御方法は下記のステップがある。
【００２８】
ステップ１）、リレーがオンときに、リレー制御回路がリレー駆動コイルへ提供する初期電流は定格動作電流の２−２０倍である。リレーの動的接点は迅速的に固定接点へ移動して、その後、リレーコイルを流れる電流は小さくなり、最後にゼロになる。動的接点と固定接点が接触したら、コイル駆動電流はリレーの引込み保持電流に戻る。
【００２９】
ステップ２）、リレーがオフするときに、リレー制御回路がリレー駆動コイルに提供する初期電流は定格動作電流の２−２０倍の定格動作電流である。リレーの可動的接点は迅速的に固定接点の逆方向に向かって離れる。その後、駆動電流は減少しつつ、動的接点が接点の常時開位置に到着したときに、駆動電流はゼロとなる。
【００３０】
本発明のリレーのストローク時間を短縮するという基本の考え方として、接点を最初の段階で迅速に運動させて、その後、減速運動をさせて、接点の移動が終了したら、運動スピードはゼロになる。このように、接点のストローク時間を短縮でき、また接点のストロークの終了時に発生するジッタ及び衝撃を減少することができる。実現する方法として、リレー接点が動作するときに、リレーコイルへ提供する電流は最初に大きく徐々に減少する動的電流である。異なるリレーに対して、異なる電流曲線は異なる接点のストローク速度の軌跡を形成する。このことは如何にリレーのストローク時間を短縮することを検討する上で新しい考え方を与えた。また、これによりリレー設計の変革を引き起こす。リレーコイルの駆動回路について、本発明の明細書ではいくつかの実施例を挙げたのみであり、説明したとおり、リレーコイル電流の制御回路を通じて、容易にもっと多い回路が得られるので、ここでは詳述しない。
【００３１】
ダイオード接点保護複合スイッチは電流ゼロ交差オン・オフスイッチである。コンデンサ降圧電源、シングルチップコンピュータ、過電流、過圧保護を利用して、交流スイッチを更に小さくさせ、更に多くの知能的な保護機能、遠隔操作機能を実現している。真の知能的なスイッチを実現することは、まさに交流電源スイッチの革命である。
【００３２】
本発明は上記の最良の実施形態には限らない。あらゆる人は本発明の開示を受けて、その他の形式の製品及び方法を得られる。しかし、形状または構造上どのように変更を行ったとしても、本出願と同様または類似な技術方案である限り、本発明の保護範囲内に属する。
【図１】
0006360168.tif 000002
【図２】
0006360168.tif 000003
【図３−１】
0006360168.tif 000004
【図３−２】
0006360168.tif 000005
【図４】
0006360168.tif 000006
【図５−１】
0006360168.tif 000007
【図５−２】
0006360168.tif 000008
【図６】
0006360168.tif 000009